(57)【要約】【課題】フィールド変換器とエアーの持つ抗酸化力により、蓄積された排水の油脂分を効果的に酸化分解し、腐敗して発生する特有の悪臭を抑えることができる汚水処理装置を提供する。【解決手段】流入管６からフィールド変換器を介した水に混ざって流入した排水に対し、阻集部Ａでは、阻集用バスケット１０によって、排水に混ざっている比較的大きなゴミなどを回収することができ、更に、阻集部Ａ、分離部Ｂ、排水部Ｃのそれぞれの槽で蓄積された排水が、吹出口４から吹き出すエアーの持つ抗酸化力により、油脂分を効果的に酸化分解され、浄化されることから腐敗して発生する特有の悪臭を抑えることができる汚水処理装置を提供することができる。【選択図】図１
2009291687.tif 000002
【特許請求の範囲】
【請求項１】
エアーを発生させるエアー発生部と、
前記エアー発生部で発生させたエアーを送出するエアー送出部と、
前記エアー送出部から送出されたエアーを運搬し、吹出口から散気させる散気管と、
を具備することを特徴とする排水処理装置。
【請求項２】
排水を流入する流入管と、
流入管から流入した排水に混在するゴミを収集する阻集用バスケットと、
排水を蓄積する第一の槽である阻集部と、
前記阻集部から流入する排水を蓄積し、油脂分と汚物を分離する第二の槽である分離部と、
前記分離部から流入する排水を蓄積し、排水トラップを通じ、下水管に排水を流出するための流出口を有する第三の槽である排水部と、
からなる阻集器を具備することを特徴とする請求項１記載の排水処理装置。
【請求項３】
前記阻集器に設けられた阻集部と、分離部と、排水部とのそれぞれに蓄積された排水に対し、前記吹出口が浸水する状態で配置されることを特徴とする請求項１乃至２のいずれかに記載の排水処理装置。
【請求項４】
前記流入管に流入する排水であって、
流入前の段階において、同心円状の筒から成り、当該同心円状配列の最外周に位置する六角形状の素辺が正六角形となるような構造を複数配置されたフィールド変換器を介した水により、排水を行うことを特徴とした請求項１乃至３のいずれかに記載の排水処理装置。
【発明の詳細な説明】
【技術分野】
【０００１】
本発明は、フィールド変換器を通過した水とエアーの持つ制菌力により、蓄積された排水の油脂分を効果的に分解することにより、腐敗して発生する特有の悪臭を抑えることができる汚水処理装置に関する。
【背景技術】
【０００２】
従来の汚水処理装置は、例えば複数の槽により排水を蓄積し、ゴミと油脂分及び沈殿汚物を分離ことができるようにしている。
【発明の開示】
【発明が解決しようとする課題】
【０００３】
しかしながら、上記記載の排水処理装置にあっては、排水を一時的に蓄積し、ゴミと油脂分及び沈殿汚物を分離するだけであって、油脂分は水面上部付近に浮上し、小さなゴミや沈殿汚物水中に浮遊するか底部に沈殿し、数日間放置すると酸化・腐敗して特有の悪臭を発生させるという問題点があった。
【０００４】
本発明は、このような問題点に着目してなされたもので、フィールド変換器を通過した水とエアーの持つ制菌力により、雑菌の増殖を抑え乳酸菌等の善玉菌の増殖を促進させます。さらに、排水処理装置内の汚水をエアーで曝気させることにより、好気性微生物を増殖させ、蓄積された排水の油脂分を効果的に分解することにより、腐敗して発生する特有の悪臭を抑えることができる汚水処理装置を提供することを目的とする。
【課題を解決するための手段】
【０００５】
前記課題を解決するために、本発明の請求項１に記載の汚水処理装置は、
エアーを発生させるエアー発生部と、
前記エアー発生部で発生させたエアーを送出するエアー送出部と、
前記エアー送出部から送出されたエアーを運搬し、吹出口から散気させる散気管と、
を具備することを特徴としている。
この特徴によれば、エアー発生部で発生したエアーは、エアー送出部によって散気管に送り出され、散気管に備える吹出口からエアーを吹き出すことができる。
【０００６】
本発明の請求項２に記載の汚水処理装置は、請求項１記載の汚水処理装置であって、
排水を流入する流入管と、
流入管から流入した排水に混在するゴミを収集する阻集用バスケットと、
排水を蓄積する第一の槽である阻集部と、
前記阻集部から流入する排水を蓄積し、油脂分と汚物を分離する第二の槽である分離部と、
前記分離部から流入する排水を蓄積し、排水トラップを通じ、下水管に排水を流出するための流出口を有する第三の槽である排水部と、
からなる阻集器を具備することを特徴としている。
この特徴によれば、流入管から流入した排水に混在するゴミを阻集用バスケットにより収集することができ、ゴミが収集された後の排水が第一の槽である阻集部に蓄積される。
そして、第一の槽である阻集部に蓄積された排水は、油脂分と汚物を分離する第二の槽である分離部に流出され、蓄積される。
さらに、第二の槽である分離部に蓄積された排水は、第三の槽である排水部に流出され、蓄積された後、排水トラップを通じ、流出口から外部に流出することができる。
【０００７】
本発明の請求項３に記載の汚水処理装置は、請求項１乃至２のいずれかに記載の汚水処理装置であって、
前記阻集器に設けられた阻集部と、分離部と、排水部とのそれぞれに蓄積された排水に対し、前記吹出口が浸水する状態で配置されることを特徴としている。
この特徴によれば、前記吹出口から噴き出したエアーが、前記阻集器に設けられた阻集部と、分離部と、排水部とのそれぞれに蓄積された排水に対し、混入されている状態をつくり出すことができる。
【０００８】
本発明の請求項４に記載の汚水処理装置は、請求項１乃至３のいずれかに記載の汚水処理装置であって、
前記流入管に流入する排水が、
流入前の段階において、同心円状の筒から成り、当該同心円状配列の最外周に位置する六角形状の素辺が正六角形となるような構造を複数配置されたフィールド変換器を介した水により、排水を行うことを特徴としている。
この特徴によれば、フィールド変換器を介した排水は、通常の排水にくらべて排水を活性化させることができ、抗菌作用や悪臭除去作用を生じさせることができる。
【発明を実施するための最良の形態】
【０００９】
本発明に係る汚水処理装置を実施するための最良の形態を実施例に基づいて以下に説明する。
【実施例】
【００１０】
本発明の実施例を図面に基づいて説明すると、先ず図１は、本発明の実施例における汚水処理装置の全体像を示す図である。
【００１１】
図１に示されるように、エアー発生部１にはエアー送出部２が備えられており、エアー発生部１で発生したエアーをエアー送出部２により、散気管３に送り出されるようになっている。
【００１２】
また、図１に示されるように、散気管３は、阻集器５を構成する第一の槽である阻集部Ａと、第二の槽である分離部Ｂと、第三の槽である排水部Ｃの下槽部分に配管されており、阻集部Ａと分離部Ｂと排水部Ｃとのそれぞれの槽に蓄積された排水に対し、浸される状況になっており、吹出口４から吹き出すエアーが、排水に混入されるように配置されている。
【００１３】
図１に示されるように、阻集部Ａには流入管６があり、厨房などから下水に流すゴミ、油脂分、汚物等が混ざった状態の排水が、フィールド変換器を介した水に混ざって流入してくる構造になっている。また、流入管６から流入した排水は、はじめに阻集部Ａに備えられた金属性の網目状をした籠である阻集用バスケット１０を通過するようになっており、排水に混ざっている比較的大きなゴミなどは、阻集用バスケット１０によって、回収する仕組みとなっている。
【００１４】
阻集用バスケット１０によって、比較的大きなゴミなどが回収された後の排水は、阻集部Ａの底部から蓄積される。この状態で蓄積された排水には、阻集用バスケット１０により比較的大きなゴミは回収されているももの、油脂分や汚物等が混ざった状態である。
【００１５】
そこで、図１に示されるように、阻集部Ａに蓄積された油脂分や汚物等が混ざった状態の排水に対し、吹出口４から吹き出すエアーが混入されることにより浄化された排水は、
阻集部Ａと分離部Ｂとを大別している隔板８の下部の隙間により、阻集部Ａから分離部Ｂに流出される。
【００１６】
図１に示されるように、阻集部Ａから分離部Ｂに流出された排水は、ここで再び蓄積され、吹出口４から吹き出すエアーが混入されることによりさらに浄化される仕組みとなっている。その際、吹出口４から吹き出すエアーのもつ浮力により、蓄積された排水に混ざる汚物等が分離部Ｂの上槽部に浮遊すると効果も得られる。例えば、その際に網のようなもので、浮遊した汚物等を掬いあげてもよい。
【００１７】
図１に示されるように、分離部Ｂに蓄積されて、
吹出口４から吹き出すエアーが混入されることによりさらに浄化された排水は、
分離部Ｂと排水部Ｃを大別している隔板８の下部の隙間により、分離部Ｂから排水部Ｃに流出される。
【００１８】
図１に示されるように、分離部Ｂから排水部Ｃに流出された排水は、排水部Ｃで蓄積され、阻集部Ａや分離部Ｂで行われたと同様に、吹出口４から吹き出すエアーが混入されることによりさらに浄化される。
【００１９】
図１に示されるように、排水部Ｃには、筒状のトランプ管９が具備されており、
排水部Ｃで吹出口４から吹き出すエアーにより浄化された排水は、トランプ管９を通じて流出口７から、最終的に下水管等へ流出するようになっている。
【００２０】
以上の説明により、流入管６からフィールド変換器を介した水に混ざって流入した排水に対し、阻集部Ａでは、阻集用バスケット１０によって、排水に混ざっている比較的大きなゴミなどを回収することができ、更に、阻集部Ａ、分離部Ｂ、排水部Ｃのそれぞれの槽で蓄積された排水が、吹出口４から吹き出すエアーの持つ抗酸化力により、油脂分を効果的に酸化分解され、浄化されることから腐敗して発生する特有の悪臭を抑えることができる汚水処理装置を提供することができる。
【図面の簡単な説明】
【００２１】
【図１】本発明の実施例における汚水処理装置の全体像を示す図である。
【符号の説明】
【００２２】
１                エアー発生部
２                エアー送出部
３                散気管
４                吹出口
５                阻集器
６                流入管
７                流出口
８                隔板
９                排水トラップ
Ａ                阻集部
Ｂ                分離部
Ｃ                排水部
【図１】
2009291687.tif 000003